(57)【特許請求の範囲】
【請求項１】
洗面化粧台の洗面器において、
水槽の形態を有する洗面ボウルと、
前記洗面ボウルに隣接して設けられたカウンターと、
前記洗面ボウルを前方から覆うための幕板部と、
前記カウンターの下方において前記幕板部に設けられた引出し収納部とを備え、
前記洗面ボウルおよび前記カウンターの前方垂れ壁部の下端には第１水切りが形成され、
前記幕板部の下端には第２水切りが形成され、
前記洗面ボウルは、その後方部において斜めに奥まった空間を有し、
前記第２水切りおよびその後方部分は、前記引出し収納部の把持部を構成していることを特徴とする洗面器。
【請求項２】
前記カウンターは、前記洗面ボウルの一方の側に隣接して設けられた第１カウンターと、前記洗面ボウルの他方の側に隣接して設けられた第２カウンターとを有し、
前記引出し収納部は、前記第１カウンターおよび前記第２カウンターのうちの少なくとも一方のカウンターの下方に設けられていることを特徴とする請求項１に記載の洗面器。
【発明の詳細な説明】
【０００１】
【発明の属する技術分野】
本発明は、洗面化粧台の洗面器に関するものである。
【０００２】
【従来の技術】
従来、洗面化粧台の洗面器において、洗面ボウルの片側または両側にカウンターが設けられた構成が知られている。
【０００３】
【発明が解決しようとする課題】
上述のような構成を有する従来の洗面器では、カウンターの下方がデッドスペースになって有効利用されていないという不都合があった。
【０００４】
また、従来の洗面器では、たとえばカウンターや洗面ボウルから、その前方垂れ壁部の表面に沿って水が垂れ落ちることがある。この場合、前方垂れ壁部の表面に沿って垂れ落ちた水が、洗面器の下方に設置されたベースキャビネットの木製扉の表面を濡らし、結果として木製扉が破損し易いという不都合があった。
【０００５】
さらに、従来の洗面器では、洗面ボウルの排水口に接続された排水配管がベースキャビネットの収納スペースの有効利用を妨げるという不都合があった。
【０００６】
本発明は、前述の課題に鑑みてなされたものであり、カウンターの下方のスペースおよびベースキャビネットの収納スペースを有効利用することができ、且つカウンターおよび洗面ボウルの前方垂れ壁部の表面に沿って水が垂れ落ちてもベースキャビネットの扉の表面を濡らすことのない、洗面化粧台の洗面器を提供することを目的とする。
【０００７】
【課題を解決するための手段】
前記課題を解決するために、本発明では、洗面化粧台の洗面器において、
水槽の形態を有する洗面ボウルと、
前記洗面ボウルに隣接して設けられたカウンターと、
前記洗面ボウルを前方から覆うための幕板部と、
前記カウンターの下方において前記幕板部に設けられた引出し収納部とを備え、
前記洗面ボウルおよび前記カウンターの前方垂れ壁部の下端には第１水切りが形成され、
前記幕板部の下端には第２水切りが形成され、
前記洗面ボウルは、その後方部において斜めに奥まった空間を有し、
前記第２水切りおよびその後方部分は、前記引出し収納部の把持部を構成していることを特徴とする洗面器を提供する。
【０００８】
本発明の好ましい態様によれば、前記カウンターは、前記洗面ボウルの一方の側に隣接して設けられた第１カウンターと、前記洗面ボウルの他方の側に隣接して設けられた第２カウンターとを有し、前記引出し収納部は、前記第１カウンターおよび前記第２カウンターのうちの少なくとも一方のカウンターの下方に設けられている。
【０００９】
【発明の実施の形態】
本発明では、洗面ボウルに隣接して設けられたカウンターの下方において、洗面ボウルを前方から覆うための幕板部に引出し収納部が設けられている。具体的には、たとえば洗面ボウルの両側に一対のカウンターが設けられ、少なくとも一方のカウンターの下方に引出し収納部が設けられている。したがって、カウンターの下方のスペースを有効利用することができ、洗面器の使い勝手が、ひいては洗面化粧台の使い勝手が向上する。
【００１０】
また、本発明では、洗面ボウルおよびカウンターの前方垂れ壁部の下端に第１水切りが形成され、幕板部の下端に第２水切りが形成されている。したがって、カウンターや洗面ボウルから、その前方垂れ壁部の表面に沿って水が垂れ落ちることがあっても、前方垂れ壁部の表面に沿って垂れ落ちた水が、第１水切りおよび第２水切りの作用により、洗面器の下方に設置されたベースキャビネットの木製扉の表面を濡らすことがない。その結果、洗面ボウルおよびカウンターの前方垂れ壁部の表面に沿って垂れ落ちる水に起因する木製扉の破損を回避することができる。
【００１１】
さらに、本発明では、洗面ボウルが、その後方部において斜めに奥まった空間を有するように形成されている。したがって、洗面ボウルにおいて従来よりも奥まった位置に排水口を設けることができ、ひいてはベースキャビネットの収納スペースにおいて従来よりも奥まった位置に排水配管を設けることができる。その結果、洗面ボウルの排水口に接続された排水配管がベースキャビネットの収納スペースの有効利用を妨げることがない。
【００１２】
以上のように、本発明では、カウンターの下方のスペースおよびベースキャビネットの収納スペースを有効利用することができ、且つカウンターおよび洗面ボウルの前方垂れ壁部の表面に沿って水が垂れ落ちてもベースキャビネットの扉の表面を濡らすことがない。
【００１３】
本発明の実施形態を、添付図面に基づいて説明する。
図１は、本発明の実施形態にかかる洗面器が組み込まれた洗面化粧台の外観を概略的に示す斜視図である。また、図２は、本実施形態にかかる洗面器の外観を概略的に示す斜視図である。さらに、図３は、本実施形態にかかる洗面器の上面図である。
【００１４】
図１に示す洗面化粧台は、たとえば陶器や人工大理石や樹脂などで形成された本実施形態の洗面器１と、たとえば木製のベースキャビネット２０と、たとえばＨＩＰＳ（ハイ・インパクト・ポリスチレン）などで形成されたミラー収納キャビネット３０とで構成されている。
【００１５】
図２および図３を参照すると、本実施形態の洗面器１は、水槽の形態を有する洗面ボウル２と、洗面ボウル２の両側に隣接して設けられた一対のカウンター３および４とを備えている。ここで、洗面ボウル２には、排水口２ａが形成されている。また、洗面ボウル２の後縁部および一対のカウンター３，４の後縁部には、その後縁表面から上方へ延びたバックガード５が設けられている。バックガード５には、給水水栓５ａ（図３では不図示）が設置されている。
【００１６】
さらに、第１カウンター３の側縁部にはその側縁表面から上方へ延びた第１サイドガード６が設けられ、第２カウンター４の側縁部にはその側縁表面から上方へ延びた第２サイドガード７が設けられている。また、洗面ボウル２の前縁部および一対のカウンター３，４の前縁部には、その前縁表面から上方へ延びたフロントガード８が設けられている。
【００１７】
また、本実施形態の洗面器１は、図２に示すように、洗面ボウル２を前方から覆うための幕板部９を備えている。そして、第１カウンター３の下方および第２カウンター４の下方において、幕板部９には一対の引出し収納部９ａおよび９ｂが設けられている。
【００１８】
図４は、本実施形態における洗面ボウルの縦断面形状を示す図である。図４に示すように、本実施形態の洗面ボウル２は、その後方部において斜めに奥まった空間を有する。すなわち、洗面ボウル２は、上から下に向かって斜めに奥まった後方斜壁部２ｂを有する。その結果、洗面ボウル２において従来（図中破線で示す）よりも奥まった位置に排水口２ａが設けられ、従来よりも奥まった位置に排水配管２ｃが設けられている。
【００１９】
図５は、本実施形態において洗面ボウルおよびカウンターの前方垂れ壁部の下端および幕板部の下端に設けられた水切りの構成を概略的に示す図である。本実施形態では、図５に示すように、洗面ボウル２およびカウンター３，４の前方垂れ壁部１０の下端部が幕板部９の上端部に重なるように形成されている。
【００２０】
そして、前方垂れ壁部１０の下端には、その表面に沿って垂れ落ちた水が幕板部９の表面に伝わるのを防ぐための第１水切り１０ａが設けられている。また、幕板部９の下端には、前方垂れ壁部１０の表面から伝わった水がベースキャビネット２０の木製扉の表面に伝わるのを防ぐための第２水切り９ｃが設けられている。
【００２１】
図６は、本実施形態における引出し収納部の構成を概略的に示す図である。上述したように、第１カウンター３の下方および第２カウンター４の下方において、幕板部９には一対の引出し収納部９ａおよび９ｂが設けられている。したがって、図６に示すように、引出し収納部９ａ（９ｂ）の前面の下端においても、第２水切り９ｃが設けられている。その結果、この第２水切り９ｃおよびその後方部分が把持部９ｄを構成し、この把持部９ｄを利用して引出し収納部９ａ（９ｂ）を容易に引き出すことができる。
【００２２】
以上のように、本実施形態では、洗面ボウル２に隣接して設けられた一対のカウンター（３，４）の下方において、洗面ボウル２を前方から覆うための幕板部９に一対の引出し収納部（９ａ，９ｂ）が設けられている。したがって、一対のカウンター（３，４）の下方のスペースを有効利用することができ、洗面器１の使い勝手が、ひいては洗面化粧台の使い勝手が向上する。
【００２３】
また、本実施形態では、洗面ボウル２およびカウンター（３，４）の前方垂れ壁部１０の下端に第１水切り１０ａが形成され、幕板部９の下端に第２水切り９ｃが形成されている。したがって、カウンター（３，４）や洗面ボウル２から前方垂れ壁部１０の表面に沿って垂れ落ちた水が、第１水切り１０ａおよび第２水切り９ｃの作用により、ベースキャビネット２０の木製扉の表面を濡らすことがない。その結果、洗面ボウル２およびカウンター（３，４）の前方垂れ壁部１０の表面に沿って垂れ落ちる水に起因する木製扉の破損を回避することができる。
【００２４】
さらに、本実施形態では、洗面ボウル２が、その後方部において斜めに奥まった空間を有するように形成されている。したがって、洗面ボウル２において従来よりも奥まった位置に排水口２ａを設けることができ、ひいてはベースキャビネット２０の収納スペースにおいて従来よりも奥まった位置に排水配管２ｃを設けることができる。その結果、排水配管２ｃがベースキャビネット２０の収納スペースの有効利用を妨げることがない。また、洗面ボウル２の後方部に形成された斜めに奥まった空間が、水栓５ｂから落ちる水のはね返りをガードし、水栓５ｂの周囲への水の飛散を防ぐことができる。
【００２５】
なお、上述の実施形態では、洗面ボウル２の両側に隣接して一対のカウンター３および４を設けているが、これに限定されることなく、洗面ボウル２の片側に隣接して１つのカウンターだけを設ける構成も可能である。
【００２６】
また、上述の実施形態では、一対のカウンター３，４の下方に一対の引出し収納部９ａ，９ｂを設けているが、これに限定されることなく、一対のカウンター３，４のうち、いずれか一方のカウンターの下方に引出し収納部を設けることもできる。
【００２７】
【発明の効果】
以上説明したように、本発明では、洗面ボウルに隣接して設けられたカウンターの下方において、洗面ボウルを前方から覆うための幕板部に引出し収納部が設けられているので、カウンターの下方のスペースを有効利用することができ、洗面器の使い勝手が、ひいては洗面化粧台の使い勝手が向上する。
【００２８】
また、本発明では、洗面ボウルおよびカウンターの前方垂れ壁部の下端に第１水切りが形成され、幕板部の下端に第２水切りが形成されているので、カウンターや洗面ボウルの前方垂れ壁部の表面に沿って垂れ落ちた水が、第１水切りおよび第２水切りの作用により、洗面器の下方に設置されたベースキャビネットの木製扉の表面を濡らすことがない。その結果、洗面ボウルおよびカウンターの前方垂れ壁部の表面に沿って垂れ落ちる水に起因する木製扉の破損を回避することができる。
【００２９】
さらに、本発明では、洗面ボウルが、その後方部において斜めに奥まった空間を有するように形成されているので、洗面ボウルにおいて従来よりも奥まった位置に排水口を設けることができ、ひいてはベースキャビネットの収納スペースにおいて従来よりも奥まった位置に排水配管を設けることができる。その結果、洗面ボウルの排水口に接続された排水配管がベースキャビネットの収納スペースの有効利用を妨げることがない。
【図面の簡単な説明】
【図１】本発明の実施形態にかかる洗面器が組み込まれた洗面化粧台の外観を概略的に示す斜視図である。
【図２】本実施形態にかかる洗面器の外観を概略的に示す斜視図である。
【図３】本実施形態にかかる洗面器の上面図である。
【図４】本実施形態における洗面ボウルの縦断面形状を示す図である。
【図５】本実施形態において洗面ボウルおよびカウンターの前方垂れ壁部の下端および幕板部の下端に設けられた水切りの構成を概略的に示す図である。
【図６】本実施形態における引出し収納部の構成を概略的に示す図である。
【符号の説明】
１  洗面器
２  洗面ボウル
２ａ  排水口
２ｂ  後方斜壁部
２ｃ  排水配管
３，４  カウンター
５  バックガード
５ａ  給水水栓
６，７  サイドガード
８  フロントガード
９  幕板部
９ａ，９ｂ  引出し収納部
９ｃ  第２水切り
９ｄ  把持部
１０  前方垂れ壁部
１０ａ  第１水切り
２０  ベースキャビネット
３０  ミラー収納キャビネット
【図１】
0004079629.tif 000002
【図２】
0004079629.tif 000003
【図３】
0004079629.tif 000004
【図４】
0004079629.tif 000005
【図５】
0004079629.tif 000006
【図６】
0004079629.tif 000007